(57)【要約】  パッケージ（１０）は、ネック端部（１４）を具備する容器（１２）と、容器のネック端部へ外から締め付ける外辺（１８）と一体となったプラスチックの殻を具備する蓋を備える。シール・ディスク（２４）はプラスチック基板上（２８）に導電層（２６）を備える。プラスチック基板の周縁部は、容器のネック端部に密閉して固定されている。シール・ディスクの導電層は、プラスチック層の外周縁を覆う円周方向に連続する外周縁（３０）と、外周縁内で分断した内側部分（３２、３４）を備えている。ＲＦＩＤ組立体（３６）は、アンテナ（４０）に電気的に接続するＲＦＩＤタグ（４２）を備える。ＲＦＩＤ組立体は、シール・ディスク及びプラスチックの殻の間に取り込まれている。そして、シール・ディスクにおける金属層の内側部分の中断は、ＲＦＩＤ組立体と外部の問い合わせ回路との間の通信障害を削減又は排除する。ライナー・ディスク（４４）は、シール・ディスク及びＲＦＩＤ組立体の間に配置することができる。蓋の外辺には、ライナー・ディスクの周縁部を固定し、さらに、容器のネック端部から蓋を取る間、ネック端部からライナー・ディスクを持ち上げるよう、内部の縁（４６）を備えることができる。
2009525930.tif 000002
【特許請求の範囲】
【請求項１】
ネック端部（１４）を有する容器及び蓋（１６）を具備するパッケージ（１０）であって、
前記蓋（１６）が、
前記ネック端部へ外部から固定する外辺（１８）を有するプラスチックの殻と、
プラスチック基板（２８）上に導電層（２６）を具備するシール・ディスク（２４）と、
前記ネック端部に密閉して固定された前記プラスチック基板の周縁部であって、前記導電層は、前記プラスチック基板の外周縁を覆う円周方向に連続する外周縁（３０）と前記外周縁内で分断した内側部分（３２、３４）を具備している、前記プラスチック基板の前記周縁部と、
アンテナ（４０）と、前記アンテナに電気的に接続されたＲＦＩＤタグ（４２）を具備するＲＦＩＤ組立体（３６）であって、前記シール・ディスクと前記プラスチックの殻の間に取り込まれている前記ＲＦＩＤ組立体と、
を備えるパッケージ。
【請求項２】
前記ＲＦＩＤ組立体と前記シール・ディスクの間にライナー・ディスク（４４）を備えることを特徴とする請求項１に記載のパッケージ。
【請求項３】
前記ライナー・ディスク（４４）は前記シール・ディスクから分離していることを特徴とする請求項２に記載のパッケージ。
【請求項４】
前記ＲＦＩＤ組立体は前記ライナー・ディスクに接着されていることを特徴とする請求項２に記載のパッケージ。
【請求項５】
前記ライナー・ディスクの外周縁を嵌め込み、前記ネック端部から前記蓋を取り外す間に前記シール・ディスクから前記ライナー・ディスクを持ち上げるよう前記外周縁に内部の縁（４６）を備えることを特徴とする請求項３又は４に記載のパッケージ。
【請求項６】
前記金属層の前記分断した内側部分は、内周縁（３２）と、前記外周縁に前記内周縁を接続する放射状スポーク（３４）を備えることを特徴とする請求項１に記載のパッケージ。
【請求項７】
蓋（１６）であって、
容器のネック端部への固定のために外辺（１８）を有するプラスチックの殻と、
前記蓋内のシール・ディスク（２４）であって、少なくとも導電層（２６）とプラスチック層（２８）を具備する前記シール・ディスクと、
前記プラスチック層の外周縁を覆う円周方向に連続する外周縁（３０）と、前記外周縁内で分断した内側部分（３２、３４）を具備する前記導電層と、
アンテナ（４０）と、前記アンテナに電気的に接続されたＲＦＩＤタグ（４２）を具備するＲＦＩＤ組立体（３６）であって、前記シール・ディスクと前記プラスチックの殻の間に配置された前記ＲＦＩＤ組立体と、
を備えることを特徴とする蓋。
【請求項８】
前記金属層の前記分断した内側部分は内周縁（３２）と、前記外周縁に前記内周縁を接続する放射状スポーク（３４）を備えることを特徴とする請求項７に記載の蓋。
【請求項９】
前記プラスチック層（２８）は前記導電層を配置したプラスチック・ディスク基板を備えることを特徴とする請求項７に記載の蓋。
【請求項１０】
前記シール・ディスクと前記ＲＦＩＤ組立体の間に配置されたライナー・ディスク（４４）を備えることを特徴とする請求項９に記載の蓋。
【請求項１１】
前記シール・ディスク（２４）は、接着層（５２）によって前記ライナー・ディスク（４４）に固定されており、前記接着層は前記金属層の前記外周縁への電気エネルギーの付加により消散するようになっていることを特徴とする請求項１０に記載の蓋。
【請求項１２】
前記ライナー・ディスクの外周縁を嵌め込み、前記殻内で前記ライナー・ディスクを支えるよう前記外辺に内部の縁（４６）を備えることを特徴とする請求項１１に記載の蓋。
【請求項１３】
蓋であって、
容器のネック端部への固定のために外辺（１８）を有するプラスチックの殻と、
前記プラスチックの殻内のシール・ディスク（２４）であって、プラスチック・ディスク基板（２８）と前記基板に配置された導電層（２６）とを具備する前記シール・ディスクと、
前記プラスチック・ディスク基板の外周縁を覆う円周方向に連続する外周縁（３０）と、前記外周縁内で分断した内側部分（３２、３３）を具備する前記導電層と、
基板（３８）と、前記基板上のアンテナ（４０）と、前記アンテナに電気的に接続されたＲＦＩＤタグ（４２）を具備するＲＦＩＤ組立体（３６）と、
前記シール・ディスクと前記ＲＦＩＤ組立体の間に配置されたライナー・ディスク（４４）であって、接着層（５２）によって、少なくとも前記シール・ディスクの前記導電層（２６）の前記連続する外周縁（３０）に固定されており、前記接着層は前記金属層の前記外周縁への電気エネルギーの付加により消散するようになっている前記ライナー・ディスクと、
を備えることを特徴とする蓋。
【請求項１４】
前記ライナー・ディスク（４４）の外周縁を嵌め込み、前記殻内で前記ライナー・ディスクを支えるよう前記外辺に内部の縁（４６）を備えることを特徴とする請求項１３に記載の蓋。
【請求項１５】
前記金属層の前記分断した内側部分は、内周縁（３２）と、前記外周縁に前記内周縁を接続する放射状スポーク（３４）を備えることを特徴とする請求項１４に記載の蓋。
【請求項１６】
前記ＲＦＩＤ組立体（３６）は前記ライナー・ディスク（４４）に接着されていることを特徴とする請求項１４に記載の蓋。
【発明の詳細な説明】
【技術分野】
【０００１】
本開示は、パッケージやパッケージの内容を識別又はパッケージが本物かを確認するようパッケージ内における無線識別（ＲＦＩＤ）タグの配置に関する。
【背景技術】
【０００２】
本開示の一般的な目的は、蓋や容器のパッケージを提供することである。その蓋や容器のパッケージは、パッケージを密封して不正開封防止を備えるよう、容器のネック端部を誘導接着又は他の方法で密閉して接着するシール・ディスクと、シール・ディスクから分離してパッケージが本物かの確認やパッケージ内の製品に関する情報を提供するＲＦＩＤタグを備える。ここで、シール・ディスクは金属層を有し、その金属層はＲＦＩＤタグと外部の問い合わせ回路との間の通信障害を最小化又は排除するよう構成されている。その他の関連する本開示の目的は蓋の組立体を提供することである。蓋の組立体は、容器内の製品の配置に従う容器のネック端部に貼り付け、密閉するよう適応した上記のＲＦＩＤタグやシール・ディスクを含む。
【発明の開示】
【課題を解決するための手段】
【０００３】
本開示は、相互を切り離したり、組み合わせたりできる多くの態様を実現する。
【０００４】
本開示の一つの態様に従ったパッケージは、ネック端部、蓋を具備する容器を備え、その蓋は、容器のネック端部に外から締め付ける外辺を具備したプラスチックの殻を備える。シール・ディスクは、プラスチック基板上に金属層を備える。プラスチック基板の周縁部を、容器のネック端部に密閉するよう接着させる。シール・ディスクの金属層は、プラスチック層の外周縁を覆う円周方向に連続する外周縁と、外周縁内で分断した内側部分を備えている。ＲＦＩＤ組立体は、アンテナに電気的に接続されたＲＦＩＤタグを備える。ＲＦＩＤ組立体は、シール・ディスクとプラスチックの殻の間に取り込まれる。そして、シール・ディスクの金属層の内側部分における分断は、ＲＦＩＤ組立体と外部の問い合わせ回路との間の通信障害を削減又は排除する。ライナー・ディスクは、シール・ディスクとＲＦＩＤ組立体の間に配置することができる。蓋の外辺は、ライナー・ディスクの周縁部を固定し、さらに、容器のネック端部から蓋を取る間、ネック端部からライナー・ディスクを持ち上げるよう内側に縁を有してもよい。
【０００５】
本開示の他の態様に従った蓋は、容器のネック端部への締め付けのために外辺を有するプラスチックの殻、蓋内のシール・ディスク、シール・ディスクとプラスチックの殻の間に配置したＲＦＩＤ組立体を備える。シール・ディスクは少なくとも、金属層とプラスチック層を備え、併せて、金属層は円周方向に連続する外周縁と、外周縁内で分断した内側部分を有する。ＲＦＩＤ組立体は、アンテナに電気的に接続されたＲＦＩＤタグを備える。分断した金属層の内側部分は、ＲＦＩＤ組立体と外部の問い合わせ回路との間の通信障害を削減又は排除する。分断した金属層の内側部分は、望ましくは内周縁と、金属層の外周縁に内周縁を接続する放射状スポークを備える。ライナー・ディスクはシール・ディスクとＲＦＩＤ組立体の間に配置してもよい。シール・ディスクは、接着層によってライナー・ディスクに固定しても良い。その接着層は、シール・ディスクを容器のネック端部に固定する金属層への電気エネルギーの付加により消散するようになっている。
【０００６】
追加の目的、特徴、効果、及び態様と併せた本開示は、以下の説明、添付の特許請求の範囲及び図面から最も理解される。
【発明を実施するための最良の形態】
【０００７】
図１及び２は本開示の典型的な実施例に従ってパッケージ１０を示す。パッケージ１０は、ネック端部１４を具備する容器１２を備える。ネック端部１４は、本開示の典型的な実施例において、円筒形状として示されているが、楕円形や他の適切な形状とすることができる。蓋１６は外辺１８を有するプラスチックの殻を備える。その外辺は、ネック端部１４上の外側へのネジ筋又は縁２２と噛み合わせるために、内側へのネジ筋又は縁２０を有し、蓋を容器に締め付ける。外辺１８は望ましくは円筒形状であって、図に示されているような周りを囲む外辺とすることができる。または、円筒形状又は楕円形状のような適切な形状の外側の外辺の中に内側の外辺を有することもできる。蓋の殻は望ましくはプラスチックの構造で形成する。容器１２は、プラスチック又はガラスから作られるような適切な構造とすることができる。
【０００８】
シール・ディスク２４（図１乃至２及び５乃至７）は少なくとも、プラスチック層又は基板上２８に重ねる又は他の方法で配置された導電層２６を備える。導電層２６及びプラスチック基板２８を備えるシール・ディスク２４は望ましくは、容器のネック端部１４の円筒形状に対応する円形形状である。プラスチック基板２８は望ましくは、ポリエチレン・テレフタレート（ＰＥＴ）、ポリエチレンの一種（例えば、ＬＤＥＰやＭＤＰＥ、ＨＤＰＦなど）又は、他の適切なプラスチックなどのような材料からなり、容器のネック端部１４の終端に誘導接着することができる。導電層２６は、アルミニウム又は導電性塗膜とすることができる。導電層２６は望ましくは、基板２８の周縁部を覆っている円周方向に連続する外周縁リング３０と、分断したパターンで基板２８上にエッチング又は他の方法で形成されている内側部分を備えている。図で示した好ましい実施例において、導電層２６の内側部分は、リング形状の内周縁３２と、複数の放射状スポーク３４を備える。その放射状スポーク３４は、外周縁３０と内周縁３２を相互接続する。他の分断した形状も採用することができる。
【０００９】
ＲＦＩＤ組立体３６（図１乃至４）は、シール・ディスク２４と蓋１６の底面壁の間に取り込まれる。ＲＦＩＤ組立体３６は、好ましくはプラスチック構造である基板３８及び基板３８上に重ねる又は他の方法で配置されたｒｆアンテナ４０を備える。アンテナ４０を適切なアンテナ形状に、エッチング、塗膜又は他の方法で形成することができる。ＲＦＩＤ超小型回路又はタグ４２は、アンテナ層４０上に配置され、アンテナと電気的に接続される。そのＲＦＩＤ超小型回路又はタグ４２は例えば、アルミニウム構造とすることができる。従って、タグ４２は、アンテナ４０を介して容器の外側より、タグ４２からの情報を取得するよう問い合わせすることができ、価格の設定や在庫管理の目的などのために、パッケージが本物かを確認し、パッケージ内の製品を識別する。アンテナを介してＲＦＩＤタグに問い合わせするためのＲＦＩＤタグ４２、アンテナ４０、及び外部回路の構造は、技術的に既知である適切なタイプのものとすることができる。シール・ディスク導電層２６の分断した中心部分は、ＲＦＩＤ組立体３６と外部の問い合わせ回路との間の通信障害を削減又は排除するのに役立つ。そうしなければ、シール・ディスク導電層２６によって障害が発生する可能性がある。
【００１０】
ライナー・ディスク４４（図１及び２）は、蓋１６内でシール・ディスク２４とＲＦＩＤ組立体３６の間に任意に配置することができる。ライナー・ディスク４４は、セルロースのような適切な構造とすることができ、シール・ディスク２４を取り除いた後にパッケージを密閉するライナーとして機能する。蓋の外辺における内部の縁４６（図１）の働きによって、ライナー・ディスク４４を蓋１６内に保持することができる。縁４６は、円周方向に連続的又は断片的にすることができる。更にライナー・ディスク４４は、シール・ディスク２４を取り除いた後に、パッケージ・シールとして機能する。また、蓋１６内にＲＦＩＤ組立体を取り込む。蓋内のＲＦＩＤ組立体３６の配置を補助するようライナー・ディスク１４の隣接面にＲＦＩＤ組立体３６を付着することができる。容器１２内に製品４８を入れた後、シール・ディスク２４、ＲＦＩＤ組立体３６、及び、蓋１６は、そして、ライナー・ディスク４４も含めた場合はそれも、容器のネック端部より上に配置される。そして、シール・ディスク２４は、容器のネック端部１４の終端に誘導接着又は他の方法で固定される。導電層２６の円周方向に連続する外周縁リング３０（図５及び６）によって、誘導接着は用いられる。ＲＦＩＤ組立体３６を含んで閉じたパッケージは、パッケージ内の製品４８が本物であるかの確認や、製品種類、ロット番号、それと同等なものなどによりパッケージ又は製品を識別するよう問い合わせすることができる。パッケージを開けることで、蓋１６はパッケージから取りはずされ、好ましくは同時に、ライナー・ディスク４４や、ＲＦＩＤ組立体３６も取り除く。そして、シール・ディスク２４は、パッケージ内の製品へのアクセスを得るために破られる。そのようにシール・ディスク２４を破ることは、パッケージが開けられているという視覚による目印を提供するが、ＲＦＩＤ組立体３６との通信を損なうことはない。
【００１１】
図８は、ＲＦＩＤ組立体３６とライナー・ディスク４４を含むディスク組立体５０を示す。そのＲＦＩＤ組立体３６は、ライナー・ディスク４４の上部表面に接着され、ライナー・ディスク４４は、接着層５２によって、少なくともシール・ディスク２４の外周縁リング３０に接着される。接着層５２は望ましくは、ワックスのような材料であり、リング３０への電気エネルギーの付加により消散する。従って、容器のネック端部へのシール・ディスク２４の誘導接着は、この実施例において、シール・ディスク２４からライナー・ディスク４４及びＲＦＩＤ組立体３６を分離するよう同時に機能する。これにより、ライナー・ディスク及びＲＦＩＤ組立体はその後、蓋とともに取り外しが可能となる。さらに、容器のネック端部上の位置にシール・ディスク２４を残す。この実施例は、ＲＦＩＤ組立体３６、ライナー・ディスク４４、シール・ディスク２４を含むディスク組立体５０を一度に加えることができ、そして、誘導接着作業の間に、ライナー・ディスク４４をシール・ディスク２４から分離させるという効果を有する。図１乃至７の実施例において、シール・ディスク２４は、容器のネック端部への蓋１６の組み立て前に（ライナー・ディスク３６を用いる場合又は用いなくても）、容器のネック端部へ接着することができる。
【００１２】
ここでは、ＲＦＩＤ組立体と外部の問い合わせ回路との間の通信障害を削減又は排除するよう構成されたＲＦＩＤタグとシール・ディスクを用いたパッケージ及び蓋を開示しており、上述した説明の目的及び目標の全てを十分に満たす。この開示は、いくつかの典型的な実施例と併せて示されている。そして他の変更や変形も検討している。追加の変更や変形は、前述の説明を考慮することで当業者によって容易に連想されるであろう。本開示は、そのような全ての変更や変形を包含することを意図しており、それら変更や変形は添付の特許請求の範囲の精神及び広義の範囲に含まれる。
【図面の簡単な説明】
【００１３】
【図１】本開示の典型的な従ったパッケージの部分断面図である。
【図２】図１に示したパッケージの斜視図を分解して示した。
【図３】図１及び２のパッケージにおけるＲＦＩＤ組立体斜視図である。
【図４】図３において、おおよそライン４に沿って得られる部分断面図である。
【図５】図１及び２のパッケージにおけるシール・ディスクの斜視図である。
【図６】図５において、おおよそライン６に沿って得られる部分断面図である。
【図７】図５において、おおよそライン７に沿って得られる部分断面図である。
【図８】図１乃至７の実施例の変形を説明する以外の図４及び６と同様な部分断面図である。
【図１】
2009525930.tif 000003
【図２】
2009525930.tif 000004
【図６】
2009525930.tif 000005
【図７】
2009525930.tif 000006
【図８】
2009525930.tif 000007
【国際調査報告】
2009525930.tif 000008
2009525930.tif 000009
2009525930.tif 000010